(57)【要約】      （修正有）【課題】ユーザー端末を利用して室内機器を制御する初期設定を簡易に完了可能なシステム、情報処理装置及びプログラムを提供する。【解決手段】システムにおいて、ユーザー端末及び情報処理装置を備える。情報処理装置は、室内機器を操作でき、ユーザー端末は、読取部、第１通信部、通信確立部、及び制御部を備える。読取部は、２次元コードを読み取り、第１通信部は、２次元コードに含まれる情報に基づいて、ユーザー端末を特定可能な端末情報を情報処理装置に送信する。情報処理装置は、第２通信部、記憶部及び権限設定部を備える。第２通信部は、端末情報を受信する。記憶部は、室内機器の操作権限を表す権限情報を記憶し、権限設定部は、端末情報と権限情報とに基づいて、ユーザー端末に対して室内機器の操作権限を設定する。制御部は、設定された権限情報に基づいて、室内機器を操作できる。【選択図】図１
2020191573.tif 000002
【特許請求の範囲】
【請求項１】
システムであって、
ユーザー端末及び情報処理装置を備え、
前記情報処理装置は、直接又は間接的に室内機器を操作可能に構成され、
前記ユーザー端末は、読取部、第１通信部、通信確立部、及び制御部を備え、
前記情報処理装置は、第２通信部、記憶部、及び権限設定部を備え、
前記読取部は、予め定められた情報を含む２次元コードを読み取り可能に構成され、
前記第１通信部は、前記読取部により読み取られた２次元コードに含まれる情報に基づいて、前記ユーザー端末を特定可能な端末情報を前記第２通信部に送信可能に構成され、
前記第２通信部は、前記端末情報を受信可能に構成され、
前記記憶部は、前記室内機器の操作権限を表す権限情報を記憶し、
前記権限設定部は、前記第２通信部が受信した前記端末情報と、前記権限情報と、に基づいて、前記ユーザー端末に対して前記室内機器の操作権限を設定可能に構成され、
前記第２通信部は、前記権限設定部により設定された操作権限を表す権限情報を前記第１通信部に送信可能に構成され、
前記通信確立部は、前記第１通信部が受信した前記権限情報を反映した状態で前記室内機器との通信を確立可能に構成され、
前記制御部は、前記設定された権限情報に基づいて、前記室内機器を操作可能に構成される、
システム。
【請求項２】
請求項１に記載のシステムにおいて、
前記権限設定部は、前記第２通信部が受信した前記端末情報が、前記室内機器が接続されている無線ネットワークと同じネットワークから送信された場合、前記ユーザー端末に対して前記操作権限を設定する、
システム。
【請求項３】
請求項１又は請求項２に記載のシステムにおいて、
前記ユーザー端末は、第１ユーザー端末及び第２ユーザー端末を含み、
前記第２通信部が、前記第１ユーザー端末から前記２次元コードを表すコード情報及び前記端末情報を受信した後、前記第２ユーザー端末から前記コード情報及び前記端末情報を受信した場合、前記権限設定部は、前記第２ユーザー端末に対して前記操作権限を設定する、
システム。
【請求項４】
請求項１〜請求項３のいずれか１項に記載のシステムにおいて、
前記権限情報は、前記室内機器が設置される施設の関係者により予め設定された情報である、
システム。
【請求項５】
請求項１〜請求項４のいずれか１項に記載のシステムにおいて、
前記ユーザー端末は、権限付与部を備え、
前記権限付与部は、他の端末に対して予め定められた操作権限を付与可能に構成され、
前記権限設定部は、前記権限付与部により付与された操作権限を、前記他の端末に対して設定する、
システム。
【請求項６】
請求項１〜請求項５のいずれか１項に記載のシステムにおいて、
前記ユーザー端末は、権限反映部を備え、
前記権限反映部は、他の端末に対して前記ユーザー端末に設定された操作権限を反映可能に構成され、
前記権限設定部は、前記権限反映部により反映された操作権限を、前記他の端末に対して設定する、
システム。
【請求項７】
請求項１〜請求項６のいずれか１項に記載のシステムにおいて、
コントローラを備え、
前記コントローラは、前記ユーザー端末、情報処理装置、及び前記室内機器と無線通信可能に構成され、且つ、前記室内機器を操作可能に構成され、
前記制御部は、前記設定された権限情報に基づいて、前記コントローラを介して前記室内機器を操作可能に構成される、
システム。
【請求項８】
情報処理装置であって、
前記情報処理装置は、ユーザー端末と通信可能に構成され、且つ、直接又は間接的に室内機器を操作可能に構成され、
前記情報処理装置は、通信部、記憶部、及び権限設定部を備え、
前記通信部は、前記ユーザー端末から端末情報を受信可能に構成され、ここで、前記端末情報は、前記ユーザー端末を特定可能な情報であり、
前記記憶部は、前記室内機器の操作権限を表す権限情報を記憶し、
前記権限設定部は、前記通信部が受信した前記端末情報と、前記権限情報と、に基づいて、前記ユーザー端末に対して前記室内機器の操作権限を設定可能に構成される、
情報処理装置。
【請求項９】
コンピュータを、情報処理装置として機能させるプログラムであって、
前記情報処理装置は、ユーザー端末と通信可能に構成され、且つ、直接又は間接的に室内機器を操作可能に構成され、
前記情報処理装置は、通信部、記憶部、及び権限設定部を備え、
前記通信部は、前記ユーザー端末から端末情報を受信可能に構成され、ここで、前記端末情報は、前記ユーザー端末を特定可能な情報であり、
前記記憶部は、前記室内機器の操作権限を表す権限情報を記憶し、
前記権限設定部は、前記通信部が受信した前記端末情報と、前記権限情報と、に基づいて、前記ユーザー端末に対して前記室内機器の操作権限を設定可能に構成される、
プログラム。
【発明の詳細な説明】
【技術分野】
【０００１】
本発明は、システム、情報処理装置及びプログラムに関する。
【０００２】
スマートデバイスを利用して種々の機器を制御するサービスが提案されている。かかるサービスは、例えば、スマートデバイスと制御対象の機器を同一のネットワークに接続することにより実現される。
【０００３】
特許文献１には、ユーザーがＷｉ−Ｆｉ認証情報を記憶又は記録する必要がなく、ユーザエクスペリエンスを改善する、Ｗｉ−Ｆｉホットスポットデバイスに接続するための方法が開示されている。
【先行技術文献】
【特許文献】
【０００４】
【特許文献１】特開２０１８−６７９３８号公報
【発明の概要】
【発明が解決しようとする課題】
【０００５】
ところが、スマートデバイスを利用して種々の機器を制御できる環境を構築する場合、ネットワークのペアリングや制御対象の機器の登録等、初期設定が煩わしく、かかるサービスを利用するハードルが高い。
【０００６】
本発明は、かかる事情を鑑みてなされたものであり、ユーザー端末を利用して室内機器を制御する際の初期設定を簡易に完了可能なシステム、情報処理装置及びプログラムを提供することを目的とする。
【課題を解決するための手段】
【０００７】
本発明によれば、システムであって、ユーザー端末及び情報処理装置を備え、前記情報処理装置は、直接又は間接的に室内機器を操作可能に構成され、前記ユーザー端末は、読取部、第１通信部、通信確立部、及び制御部を備え、前記情報処理装置は、第２通信部、記憶部、及び権限設定部を備え、前記読取部は、予め定められた情報を含む２次元コードを読み取り可能に構成され、前記第１通信部は、前記読取部により読み取られた２次元コードに含まれる情報に基づいて、前記ユーザー端末を特定可能な端末情報を前記第２通信部に送信可能に構成され、前記第２通信部は、前記端末情報を受信可能に構成され、前記記憶部は、前記室内機器の操作権限を表す権限情報を記憶し、前記権限設定部は、前記第２通信部が受信した前記端末情報と、前記権限情報と、に基づいて、前記ユーザー端末に対して前記室内機器の操作権限を設定可能に構成され、前記第２通信部は、前記権限設定部により設定された操作権限を表す権限情報を前記第１通信部に送信可能に構成され、前記通信確立部は、前記第１通信部が受信した前記権限情報を反映した状態で前記室内機器との通信を確立可能に構成され、前記制御部は、前記設定された権限情報に基づいて、前記室内機器を操作可能に構成される、システムが提供される。
【０００８】
本発明によれば、情報処理装置がユーザー端末を特定する端末情報を取得すると、情報処理装置に予め記憶された操作権限に基づいて、ユーザー端末に対して室内機器の操作権限を設定可能に構成される。これにより、ユーザー端末側での初期設定が簡易に完了するので、ユーザーが気軽にユーザー端末を用いて室内機器を操作できるサービスを享受することができる。
【図面の簡単な説明】
【０００９】
【図１】本発明の一実施形態に係る情報処理装置１を含むシステム１００の概略図である。
【図２】情報処理装置１の機能ブロック図である。
【図３】ユーザー端末４の機能ブロック図である。
【図４】記憶部３０に記憶された情報であって、室内機器６の操作権限を表す権限情報の一例である。
【図５】システム１００による処理の一例を表すアクティビティ図である。
【図６】ユーザー端末４から室内機器６（テレビ）を操作する操作画面の一例である。
【図７】ユーザー端末４から室内機器６（エアコン）を操作する操作画面の一例である。
【図８】ユーザー端末４から室内機器６（照明）を操作する操作画面の一例である。
【発明を実施するための形態】
【００１０】
以下、図面を用いて本発明の実施形態について説明する。以下に示す実施形態中で示した各種特徴事項は、互いに組み合わせ可能である。
【００１１】
本実施形態では、ユーザー端末４を用いて室内機器６を操作する際の初期設定を簡易に済ますことができる情報処理装置１及びシステム１００について説明する。ここで、操作対象となる室内機器６は、例えば、ホテル、マンション、民泊等に設置された機器であり、これらの施設の運営者又は従業員が予め室内機器６の操作権限を規定し、ユーザー端末４からの要求に応じて自動的に操作権限を設定することにより、ユーザー端末４を用いて室内機器６を操作する際の初期設定が簡易になる。
【００１２】
１．システム１００の概要
図１に示すように、本発明の一実施形態に係るシステム１００は、情報処理装置１及びユーザー端末４がネットワークＮＷを介して互いに接続されている。情報処理装置１は、例えばサーバにより構成される。ユーザー端末４は、ユーザーにより使用される端末であって、任意のコンピュータにより構成される。ユーザー端末４は、例えば、スマートフォン、タブレット端末、パーソナルコンピュータ、ウェアラブルデバイスにより構成される。本実施形態では、ユーザー端末４は、第１ユーザー端末４ａ及び第２ユーザー端末４ｂを含む。ユーザー端末４の数は特に限定されず、第１ユーザー端末４ａ〜第Ｎユーザー端末４ｎを含んでもよい。
【００１３】
システム１００はさらに、情報処理装置１と室内機器６がネットワークＮＷを介して互いに接続されている。室内機器６は、複数の室内機器６ａ〜室内機器６ｃを含んでもよい。室内機器６は、情報処理装置１により操作可能な機器であり、例えば、テレビ（室内機器６ａ、室内機器６ｂ）、オーディオシステム（室内機器６ｃ）、エアコン、照明、カーテンが挙げられる。情報処理装置１と室内機器６ａは、ネットワークＮＷを介して直接接続されている。情報処理装置１と室内機器６ｂは、コントローラ５を介して接続されている。情報処理装置１と室内機器６ｃは、サーバ７を介して接続されている。コントローラ５は、ユーザー端末４、情報処理装置１、及び室内機器６と無線通信可能に構成され、且つ、室内機器６を操作可能に構成される。具体的には、コントローラ５は、室内機器６が設置される空間内に設置されるデバイスであり、赤外線等を利用して室内機器６を操作可能に構成される。サーバ７は、対応する室内機器６（図１の例では室内機器６ｃ）を無線により制御可能なものであり、室内機器６ｃの提供者が運営するサーバである。
【００１４】
本実施形態では、情報処理装置１は、直接又は間接的に室内機器６を操作可能に構成される。本実施形態では、情報処理装置１は、室内機器６ａを直接操作可能であり、コントローラ５を介して室内機器６ｂを間接的に操作可能であり、サーバ７を介して室内機器６ｃを間接的に操作可能である。
【００１５】
以下、特に区別が不要な場合、第１ユーザー端末４ａ〜第Ｎユーザー端末４ｎを単にユーザー端末４と称し、室内機器６ａ〜室内機器６ｃを単に室内機器６と称する。
【００１６】
２．情報処理装置１の概要
図２に示すように、情報処理装置１は、制御部１０、第２通信部２０及び記憶部３０を備える。
【００１７】
２−１．制御部１０
制御部１０は、権限設定部１１、ネットワーク判定部１２、上書判定部１３を備える。
【００１８】
＜権限設定部１１＞
【００１９】
権限設定部１１は、第２通信部２０が受信した端末情報と、権限情報と、に基づいて、ユーザー端末４に対して室内機器６の操作権限を設定可能に構成される。ここで、端末情報は、ユーザー端末４を特定可能な情報であり、例えば、端末ＩＤ、ＭＡＣアドレス、ＩＭＥＩ（Ｉｎｔｅｒｎａｔｉｏｎａｌ  Ｍｏｂｉｌｅ  Ｅｑｕｉｐｍｅｎｔ  Ｉｄｅｎｔｉｔｙ）、電話番号、メールアドレスである。権限情報は、室内機器６の操作権限を表す情報である。権限情報の詳細は、図４を用いて後述する。
【００２０】
＜ネットワーク判定部１２＞
ネットワーク判定部１２は、第２通信部２０が受信した端末情報が、室内機器６が接続されている無線ネットワークと同じネットワークから送信されたか否かを判定可能に構成される。かかるネットワークがＷｉ−Ｆｉ（登録商標）ネットワークである場合、ＳＳＩＤ等により同一ネットワークか否かを判定することができる。
【００２１】
そして、ネットワーク判定部１２による判定結果に基づいて、権限設定部１１は、第２通信部２０が受信した端末情報が、室内機器６が接続されている無線ネットワークと同じネットワークから送信された場合、ユーザー端末４に対して操作権限を設定してもよい。
【００２２】
これにより、実際に室内機器６が設置されている場所と異なる場所に位置するユーザーによる操作権限の不正な設定要求を排除することが可能になる。
【００２３】
＜上書判定部１３＞
上書判定部１３は、操作権限が設定されたユーザー端末４と異なるユーザー端末から操作権限の設定要求があった場合、ユーザー端末４に設定された操作権限を解除し、ユーザー端末４と異なるユーザー端末の操作権限を上書きするか否かを判定可能に構成される。本実施形態では、第２通信部２０が、第１ユーザー端末４ａに対して操作権限を設定した後、第２ユーザー端末４ｂからの操作権限の設定要求があった場合に、第２ユーザー端末４ｂに対して所定の室内機器６の操作権限を上書きすると判定する。
【００２４】
そして、上書判定部１３による判定結果に基づいて、第２通信部２０が、第１ユーザー端末４ａから後述の２次元コードを表すコード情報及び端末情報を受信した後、第２ユーザー端末４ｂからコード情報及び端末情報を受信した場合、権限設定部１１は、第２ユーザー端末４ｂに対して前記操作権限を設定してもよい。ここで、コード情報は、任意の情報を含むことができる。例えば、コード情報には、情報処理装置１にアクセスするためのＵＲＬ、室内機器６が設置されている場所に関する情報、及び室内機器６が設置されている施設に関する情報が含まれる。
【００２５】
これにより、特定のマンションの部屋に居住していたユーザーが利用する第１ユーザー端末４ａに操作権限が設定されていた場合において、かかるユーザーが引っ越した後、他のユーザーが同じ部屋に引っ越してきたときに、元の居住者であるユーザーに特別な操作を要求することなく、新たな居住者である他のユーザーが利用するユーザー端末４に対して室内機器６の操作権限を新たに設定することが可能になる。
【００２６】
２−２．第２通信部２０
第２通信部２０は、ネットワークＮＷを介して他の機能部材と有線又は無線によりデータ通信可能に構成される。本実施形態では、第２通信部２０は、情報処理装置１を構成する他の構成要素、ユーザー端末４、コントローラ５、サーバ７及び室内機器６の少なくとも１つと通信可能に構成される。
【００２７】
本実施形態では、第２通信部２０は、端末情報を受信可能に構成される。また、第２通信部２０は、権限設定部１１により設定された操作権限を表す権限情報を第１通信部４３（図３参照）に送信可能に構成される。
【００２８】
２−３．記憶部３０
記憶部３０は、種々のプログラム及びデータを記憶するものであり、例えばメモリ、ハードディスク、ＳＳＤ等により構成される。本実施形態では、記憶部３０は、ユーザーデータ、権限情報及びプログラムを記憶する。ここで、ユーザーデータは、ユーザー端末４の操作者であるユーザーを表す情報であり、ユーザーの氏名、ユーザーＩＤ、端末情報を対応付けたデータである。また、権限情報は、室内機器６の操作権限を表す情報である。権限情報は、室内機器６が設置される施設の関係者により予め設定された情報であることが好ましい。ここで、権限情報は、室内機器６毎に設定されるか、同一の空間に設置される複数の室内機器６毎に設定されることが好ましい。プログラムは、制御部１０による処理を規定するものである。
【００２９】
ここで、図２の例では、記憶部３０が情報処理装置１に設けられる構成としているが、記憶部３０を情報処理装置１の外部に設け、必要に応じて情報処理装置１が記憶部３０にアクセスする、いわゆるクラウドコンピューティングの形態としてもよい。
【００３０】
３．ユーザー端末４の概要
図３に示すように、ユーザー端末４は、表示部４１、操作部４２、第１通信部４３、制御部４４、読取部４５、通信確立部４６、権限付与部４７、権限反映部４８、記憶部４９を備える。
【００３１】
＜表示部４１＞
表示部４１は、テキストや画像（静止画及び動画を含む）を表示するものであり、任意のディスプレイにより構成される。
【００３２】
＜操作部４２＞
操作部４２は、ユーザー端末４を操作するものであり、マウス、ポインティングデバイス等により構成される。ここで、表示部４１がタッチパネルである場合には、タッチパネルへのタップ操作、スワイプ操作、フリック入力、ピンチイン、ピンチアウト等が操作部４２による操作に対応する。
【００３３】
＜第１通信部４３＞
第１通信部４３は、情報処理装置１の第２通信部２０と同様の機能を有するものである。本実施形態では、第１通信部４３は、読取部４５により読み取られた２次元コードに含まれる情報に基づいて、ユーザー端末４を特定可能な端末情報を前記第２通信部に送信可能に構成される。
【００３４】
＜制御部４４＞
制御部４４は、ユーザー端末４の他の構成要素を制御するものである。本実施形態では、制御部４４は、権限設定部１１により設定された権限情報に基づいて、室内機器６を操作可能に構成される。具体的には、制御部４４は、権限設定部１１により設定された権限情報に基づいて、室内機器６を操作する操作コマンドを第１通信部４３から第２通信部２０に送信する。また、制御部４４は、情報処理装置１により設定された権限情報に基づいて、コントローラ５を介して室内機器６を操作可能に構成されてもよい。この場合、室内機器６の操作コマンドがユーザー端末４から情報処理装置１を介してコントローラ５に送信され、コントローラ５から室内機器６に対して赤外線等の無線信号を送信することにより、室内機器６を操作することが可能になる。
【００３５】
＜読取部４５＞
読取部４５は、予め定められた情報を含む２次元コードを読み取り可能に構成される。２次元コードは、例えばＱＲコードやバーコードである。ここで、読取部４５は、情報処理装置１に実装されたカメラ機能や、別途インストールされたアプリケーションにより実現される。
【００３６】
ここで、２次元コードは、２次元コードが印刷された紙をホテルやマンションの部屋に設置してもよく、また、ホテルの場合、チェックインの際にユーザーに提示する形態で提供してもよい。ここで、本実施形態では、ネットワーク判定部１２又は上書判定部１３により、異なるユーザー端末４を利用するユーザーからの申し入れに対し、ホテルやマンションの関係者が２次元コードを都度生成することが不要になる。すなわち、ネットワーク判定部１２により、実際に室内機器６が設置されている場所と異なる場所に位置するユーザーによる操作権限の不正な設定要求を排除することが可能になるためである。また、上書判定部１３により、特定のマンションの部屋に居住していたユーザーが利用する第１ユーザー端末４ａに操作権限が設定されていた場合において、かかるユーザーが引っ越した後、他のユーザーが同じ部屋に引っ越してきたときに、元の居住者であるユーザーに特別な操作を要求することなく、新たな居住者である他のユーザーが利用するユーザー端末４に対して室内機器６の操作権限を新たに設定することが可能になるためである。
【００３７】
＜通信確立部４６＞
通信確立部４６は、第１通信部４３が受信した権限情報を反映した状態で室内機器６との通信を確立可能に構成される。本実施形態では、通信確立部４６により、ユーザー端末４と室内機器６の通信が確立する。図１の例では、ユーザー端末４は、情報処理装置１を介して室内機器６ａとの通信を確立し、情報処理装置１及びコントローラ５を介して室内機器６ｂとの通信を確立し、情報処理装置１及びサーバ７を介して室内機器６ｃとの通信を確立する。
【００３８】
＜権限付与部４７＞
権限付与部４７は、他の端末（例：第２ユーザー端末４ｂ〜第Ｎユーザー端末４ｎの少なくとも１つに対して予め定められた操作権限を付与可能に構成される。具体的には、権限付与部４７は、特定のユーザー端末４と異なる他の端末に対し、操作対象となる室内機器６の操作権限の内容を個別に付与することを要求する要求コマンドを情報処理装置１に送信する。そして、情報処理装置１によりかかる要求が承認された場合、他の端末に対して特定の室内機器６に対する操作権限が設定される。なお、かかる要求の承認は必須ではなく、ユーザー端末４から要求コマンドを受信したことに応じて、他の端末に対して操作権限を設定してもよい。
【００３９】
かかる要求の実現手法は特に限定されず、ユーザー端末４にカスタムした操作権限を表示する画面を表示し、ユーザー端末４のユーザーからの特定の操作権限の許可／不許可を受け付けた後、かかる受付内容を情報処理装置１に送信してもよい。また、ユーザー端末４にインストールしたアプリケーションにより生成された２次元コードを他の端末が読み取ることにより、他の端末から情報処理装置１に対して要求コマンドを送信してもよい。
【００４０】
＜権限反映部４８＞
権限反映部４８は、他の端末に対してユーザー端末４に設定された操作権限を反映可能に構成される。具体的には、権限反映部４８は、特定のユーザー端末４と異なる他の端末に対し、ユーザー端末４に設定された操作権限であって、操作対象となる室内機器６の操作権限の内容を他の端末に反映することを要求する要求コマンドを情報処理装置１に送信する。そして、情報処理装置１によりかかる要求が承認された場合、他の端末に対して特定の室内機器６に対するユーザー端末４の操作権限が他の端末に反映される。なお、かかる要求の承認は必須ではなく、ユーザー端末４から要求コマンドを受信したことに応じて、他の端末に対してユーザー端末４の操作権限を反映してもよい。
【００４１】
かかる要求の実現手法は特に限定されず、ユーザー端末４を操作することにより、ユーザー端末４のユーザーからの反映要求を受け付けた後、かかる反映要求を情報処理装置１に送信してもよい。また、ユーザー端末４にインストールしたアプリケーションにより生成された２次元コードを他の端末が読み取ることにより、他の端末から情報処理装置１に対して要求コマンドを送信してもよい。
【００４２】
＜記憶部４９＞
記憶部４９は、種々のデータ及びプログラムを記憶する。
【００４３】
ここで、情報処理装置１及びユーザー端末４を構成する各構成要素は、ソフトウェアによって実現してもよく、ハードウェアによって実現してもよい。ソフトウェアによって実現する場合、ＣＰＵがプログラムを実行することによって各種機能を実現することができる。プログラムは、内蔵の記憶部に格納してもよく、コンピュータ読み取り可能な非一時的な記録媒体に格納してもよい。また、外部の記憶部に格納されたプログラムを読み出し、いわゆるクラウドコンピューティングにより実現してもよい。ハードウェアによって実現する場合、ＡＳＩＣ、ＦＰＧＡ、又はＤＲＰなどの種々の回路によって実現することができる。本実施形態においては、様々な情報やこれを包含する概念を取り扱うが、これらは、０又は１で構成される２進数のビット集合体として信号値の高低によって表され、上記のソフトウェア又はハードウェアの態様によって通信や演算が実行され得るものである。
【００４４】
４．権限情報
図４を用いて、記憶部３０に記憶される権限情報について説明する。
【００４５】
図４に示すように、権限情報は、室内機器６の操作権限を表す情報である。一実施形態では、権限情報は、ユーザーを特定可能なユーザーＩＤ、ユーザー端末４を特定可能な端末ＩＤ、操作権限、接続形態、室内機器６の設置場所を対応付けたデータである。ここで、操作権限は、室内機器６毎又は室内機器６が設置される場所と、端末情報（端末ＩＤ）毎に設定されることが好ましい。図４の例では、室内機器６ａ及び室内機器６ｂがテレビであり、室内機器６ｃがオーディオシステムであり、室内機器６ｄが照明であり、室内機器６ｅがカーテンである場合を示す。接続形態は、ユーザー端末４が室内機器６を操作するための接続形態を表すものであり、図４の例では、情報処理装置１、コントローラ５、サーバ７を介した接続形態が規定される。室内機器６の設置場所は、室内機器６が設置される場所を表すものであり、住所や設置ＩＤ等により規定される。
【００４６】
図４に示すように、ユーザーＩＤが０００１で特定されるユーザーが操作する２台のユーザー端末（端末ＩＤ：０００１ａ及び０００１ｂ）に対し、異なる操作権限を設定することも可能である。例えば、親子でホテルに宿泊し、親名義の２台の端末のうちの１つを子供に持たせ、子供の端末には一定の利用制限を設けることも可能である。
【００４７】
ここで、図４に示される権限情報は、端末ＩＤを対応付けて記憶しているが、これは権限設定部１１によりユーザー端末４に対して操作権限が設定された後に権限情報に端末ＩＤを対応付けて生成したものである。したがって、権限設定部１１によりユーザー端末４に対して操作権限が設定される前は、権限情報には端末ＩＤが対応付いていない。かかる対応付けは、例えば、情報処理装置１が受信した端末情報の送信場所又は送信ネットワークから、ユーザー端末４の捜査対象となり得る室内機器６の設置場所を特定し、その設置場所に対応する室内機器とユーザー端末４の端末ＩＤを対応付けることにより実現される。例えば、情報処理装置１が受信した端末情報から、ユーザー端末４が「東京都○○」に位置すると判定される場合には、室内機器６ａ〜室内機器６ｃに設定されている操作権限とユーザー端末４の端末ＩＤを対応付けることになる。
【００４８】
５．システム１００による処理
次に、図５を用いて、情報処理装置１を含むシステム１００による処理について説明する。
【００４９】
図５に示すように、まず、Ａ１１において、ユーザー端末４は、ユーザー端末４の読取部４５により、２次元コードを読み取る。そして、読取部４５により読み取られた２次元コードに含まれる情報に基づいて、ユーザー端末４を特定可能な端末情報を第２通信部２０に送信する。
【００５０】
次に、Ａ２１において、情報処理装置１は、第２通信部２０により、ユーザー端末４を特定可能な端末情報を受け付ける。続いて、端末情報を記憶部３０に記憶する（Ａ２２）とともに、記憶部３０から権限情報が読み出される（Ａ２３）。
【００５１】
そして、権限設定部１１により、端末情報により特定されるユーザー端末４に対し、予め定められた操作権限が設定される（Ａ２４）。その後、第２通信部２０により、かかる操作権限を表す権限情報が第１通信部４３に送信される。
【００５２】
ユーザー端末４の通信確立部４６は、第１通信部４３が受信した権限情報を反映した状態で、ユーザー端末４と室内機器６との通信を確立する。ここで、権限情報を反映した状態とは、ユーザー端末４が図４に示される権限情報で規定される操作権限で許可された操作に対応する操作コマンドのみを室内機器６に対して送信可能とし、図４に示される権限情報で規定される操作権限で許可されていない操作に対応する操作コマンドを室内機器６に対して送信不可又は送信しても室内機器６で拒否する状態を意味する。
【００５３】
そして、Ａ１２の後、第１通信部４３は、室内機器６を操作するためのコマンドを情報処理装置１に送信する。本実施形態では、図４に示される接続形態により、情報処理装置１から室内機器６へのコマンド送信が分岐する。図５の例では、情報処理装置１から室内機器６を制御する場合（図４において接続形態が「情報処理装置１」の場合）、情報処理装置１から室内機器６に対してコマンドが送信される（Ａ２５）。また、情報処理装置１がコントローラ５を介して室内機器６を制御する場合（図４において接続形態が「コントローラ５」の場合）、情報処理装置１からコントローラ５を介して室内機器６にコマンドが送信される（Ａ２６）。また、情報処理装置１がサーバ７を介して室内機器６を制御する場合（図４において接続形態が「サーバ７」の場合）、情報処理装置１からサーバ７を介して室内機器６にコマンドが送信される（Ａ２７）。
【００５４】
そして、室内機器６は、情報処理装置１から直接又は間接的に受信したコマンドに応じて、特定の処理を実行する（Ａ３１）。
【００５５】
ここで、図６〜図８に示される操作画面を操作することにより、ユーザー端末４から情報処理装置１に対して室内機器６を操作するためのコマンドが送信される。
【００５６】
以上説明した処理により、情報処理装置１がユーザー端末４を特定する端末情報を取得すると、情報処理装置１の記憶部３０に予め記憶された操作権限に基づいて、ユーザー端末４に対して室内機器６の操作権限を設定可能に構成される。これにより、ユーザー端末４側での初期設定が簡易に完了するので、ユーザーが気軽にユーザー端末４を用いて室内機器６を操作できるサービスを享受することができる。
【００５７】
６．その他
本発明は、以下の態様でも実施可能である。
【００５８】
情報処理装置であって、
前記情報処理装置は、ユーザー端末と通信可能に構成され、且つ、直接又は間接的に室内機器を操作可能に構成され、
前記情報処理装置は、通信部、記憶部、及び権限設定部を備え、
前記通信部は、前記ユーザー端末から端末情報を受信可能に構成され、ここで、前記端末情報は、前記ユーザー端末を特定可能な情報であり、
前記記憶部は、前記室内機器の操作権限を表す権限情報を記憶し、
前記権限設定部は、前記通信部が受信した前記端末情報と、前記権限情報と、に基づいて、前記ユーザー端末に対して前記室内機器の操作権限を設定可能に構成される、
情報処理装置。
【００５９】
コンピュータを、情報処理装置として機能させるプログラムであって、
前記情報処理装置は、ユーザー端末と通信可能に構成され、且つ、直接又は間接的に室内機器を操作可能に構成され、
前記情報処理装置は、通信部、記憶部、及び権限設定部を備え、
前記通信部は、前記ユーザー端末から端末情報を受信可能に構成され、ここで、前記端末情報は、前記ユーザー端末を特定可能な情報であり、
前記記憶部は、前記室内機器の操作権限を表す権限情報を記憶し、
前記権限設定部は、前記通信部が受信した前記端末情報と、前記権限情報と、に基づいて、前記ユーザー端末に対して前記室内機器の操作権限を設定可能に構成される、
プログラム。
【００６０】
また、上述のプログラムを格納する、コンピュータ読み取り可能な非一時的な記録媒体として提供してもよい。
【符号の説明】
【００６１】
１      ：情報処理装置
４      ：ユーザー端末
４ａ    ：第１ユーザー端末
４ｂ    ：第２ユーザー端末
４ｎ    ：第Ｎユーザー端末
５      ：コントローラ
６      ：室内機器
６ａ    ：室内機器
６ｂ    ：室内機器
６ｃ    ：室内機器
６ｄ    ：室内機器
６ｅ    ：室内機器
７      ：サーバ
１０    ：制御部
１１    ：権限設定部
１２    ：ネットワーク判定部
１３    ：上書判定部
２０    ：第２通信部
３０    ：記憶部
４１    ：表示部
４２    ：操作部
４３    ：第１通信部
４４    ：制御部
４５    ：読取部
４６    ：通信確立部
４７    ：権限付与部
４８    ：権限反映部
４９    ：記憶部
１００  ：システム
ＮＷ    ：ネットワーク
【図１】
2020191573.tif 000003
【図２】
2020191573.tif 000004
【図３】
2020191573.tif 000005
【図４】
2020191573.tif 000006
【図５】
2020191573.tif 000007
【図６】
2020191573.tif 000008
【図７】
2020191573.tif 000009
【図８】
2020191573.tif 000010